(57)【要約】【課題】前垂部を有する立体型の屋根瓦において、敷設時の上方からの荷重に対する耐性を向上することができる屋根瓦を提供する。【解決手段】軒側端部の裏面に突設された前垂部２を備える。この前垂部２よりも棟側の裏面に設けられた支持部３を備える。屋根下地４上で軒棟方向に並べて敷設される際に、軒側の屋根瓦１の棟側端部上に、棟側の屋根瓦１の前記支持部３が載置されるように形成されている。このため、屋根下地４に屋根瓦１を軒棟方向に敷設した際に、棟側の屋根瓦１の支持部３と軒側の屋根瓦１の棟側端部とが重なった位置において、屋根瓦１上にかかる荷重を支えることができ、前垂部２を設けているにもかかわらず、屋根瓦１にかかる荷重を前垂部２よりも棟側の位置で支えることができる。【選択図】図１
2008163676.tif 000002
【特許請求の範囲】
【請求項１】
屋根に敷設される屋根瓦であって、軒側端部の裏面に突設された前垂部と、この前垂部よりも棟側の裏面に設けられた支持部とを備え、屋根下地上で軒棟方向に並べて敷設される際に、軒側の屋根瓦の棟側端部上に、棟側の屋根瓦の前記支持部が載置されるように形成されていることを特徴とする屋根瓦。
【請求項２】
棟側端部に上面から上方に突出する立ち上がり部を備え、屋根下地上で軒棟方向に並べて敷設される際に、軒側の屋根瓦の前記立ち上がり部上に棟側の屋根瓦の前記支持部が載置されるように形成されていることを特徴とする請求項１に記載の屋根瓦。
【請求項３】
上記支持部の軒棟方向の寸法が、棟側端部における支持部が載置される部位の軒棟方向の寸法よりも大きく形成されていることを特徴とする請求項１又は２に記載の屋根瓦。
【請求項４】
屋根下地上で軒棟方向に並べて敷設される際に、軒側の屋根瓦の棟側端部上に棟側の屋根瓦の支持部が載置された状態で、軒側の屋根瓦の表面と棟側の屋根瓦の前垂部の裏面とが離間した状態となるように形成されていることを特徴とする請求項１乃至３のいずれか一項に記載の屋根瓦。
【請求項５】
屋根下地上に、請求項１乃至４のいずれか一項に記載の屋根瓦を、軒棟方向に隣り合う屋根瓦のうち軒側の屋根瓦の棟側端部上に棟側の屋根瓦の支持部が載置されるように敷設して成ることを特徴とする建物の屋根葺き構造。
【発明の詳細な説明】
【技術分野】
【０００１】
本発明は、建物の屋根に敷設される屋根瓦及び建物の屋根葺き構造に関するものである。
【背景技術】
【０００２】
近年、建物の屋根に敷設する屋根瓦として、意匠性の向上等のためにセメント系成形材料等を成形して得られる厚型の立体形状を有する屋根瓦が要望されるようになってきている（特許文献１参照）。このような屋根瓦１’としては、軒側の前端部の裏面に下方に突出する部位（以下、前垂部２という）を形成し、図６に示すように軒側の屋根瓦１に棟側の屋根瓦１を重ねて敷設する際に、軒側の屋根瓦１’の上面に棟側の屋根瓦１の前垂部２を載置するものがある。これにより、敷設された屋根瓦１’を軽量化しつつ立体感を有する外観を呈することができ、また前垂部２によって屋根瓦１’間の水切を行うことができる。
【０００３】
しかし、上記のように屋根瓦１’の軒側端部を前垂部２で支持するようにすると、屋根瓦１’の棟側端部を支持する部位と、軒側端部を支持する部位との間の寸法が長くなり、屋根瓦１’に上方からの荷重がかかった場合に荷重のモーメントが大きくなって、荷重に対する耐性が低くなるという問題がある。このため、屋根瓦１’の敷設時や、敷設後の改修時、テレビジョンアンテナの敷設時等において、作業者が屋根瓦１’の上に乗った際には、屋根瓦１’が破損する踏み割れが生じるおそれがある。また、このような踏み割れが生じなくても、前垂部２とこの前垂部２が重なっている屋根瓦１’の表面とが擦過して傷が生じ、この傷が外観に現れて外観の悪化を招くおそれもある。
【特許文献１】特開２００１−２００６１６号公報
【発明の開示】
【発明が解決しようとする課題】
【０００４】
本発明は上記の点に鑑みて為されたものであり、前垂部を有する立体型の屋根瓦において、敷設時の上方からの荷重に対する耐性を向上することができる屋根瓦及びこの屋根瓦を用いた建物の屋根葺き構造を提供することを目的とする。
【課題を解決するための手段】
【０００５】
請求項１に係る屋根瓦は、屋根に敷設される屋根瓦１であって、軒側端部の裏面に突設された前垂部２と、この前垂部２よりも棟側の裏面に設けられた支持部３とを備え、屋根下地４上で軒棟方向に並べて敷設される際に、軒側の屋根瓦１の棟側端部上に、棟側の屋根瓦１の前記支持部３が載置されるように形成されていることを特徴とする。
【０００６】
請求項２に係る発明は、請求項１において、棟側端部に上面から上方に突出する立ち上がり部５を備え、屋根下地４上で軒棟方向に並べて敷設される際に、軒側の屋根瓦１の前記立ち上がり部５上に棟側の屋根瓦１の前記支持部３が載置されるように形成されていることを特徴とする。
【０００７】
請求項３に係る発明は、請求項１又は２において、上記支持部３の軒棟方向の寸法が、棟側端部における支持部３が載置される部位の軒棟方向の寸法よりも大きく形成されていることを特徴とする。
【０００８】
請求項４に係る屋根瓦１は、請求項１乃至３のいずれか一項において、屋根下地４上で軒棟方向に並べて敷設される際に、軒側の屋根瓦１の棟側端部上に棟側の屋根瓦１の支持部３が載置された状態で、軒側の屋根瓦１の表面と棟側の屋根瓦１の前垂部２の裏面とが離間した状態となるように形成されていることを特徴とする。
【０００９】
請求項５に係る建物の屋根葺き構造は、屋根下地４上に、請求項１乃至４のいずれか一項に記載の屋根瓦１を、軒棟方向に隣り合う屋根瓦１のうち軒側の屋根瓦１の棟側端部上に棟側の屋根瓦１の支持部３が載置されるように敷設して成ることを特徴とする。
【発明の効果】
【００１０】
請求項１に係る発明によれば、屋根下地４に屋根瓦１を軒棟方向に敷設した際に、棟側の屋根瓦１の支持部３と軒側の屋根瓦１の棟側端部とが重なった位置において、屋根瓦１上にかかる荷重を支えることができ、前垂部２を設けているにもかかわらず、屋根瓦１にかかる荷重を前垂部２よりも棟側の位置で支えることができるようになり、屋根瓦１の棟側の支持位置と棟側の支持位置との間の寸法を短くして、屋根側の荷重がかかった場合における荷重のモーメントを低減することができる。このため、屋根瓦１の敷設時や、敷設後の改修時、テレビジョンアンテナの敷設時等において、作業者が屋根瓦１の上に乗った際になどにおける荷重に対する耐性が高くなり、屋根瓦１が破損する踏み割れが生じることを防止することができるものである。
【００１１】
請求項２に係る発明によれば、軒側の屋根瓦１と棟側の屋根瓦１との間に水（雨水等）が浸入したとしても、この水は立ち上がり部５と支持部３との間に到達するためには立ち上がり部５を乗り越えなければならず、このため屋根下地４側への水の浸入を抑制することができるものである。
【００１２】
請求項３に係る発明によれば、軒側の屋根瓦１の立ち上がり部５上に棟側の屋根瓦１の支持部３が配置された状態で前記棟側の屋根瓦１の軒棟方向位置を調整して葺き足を調整することができるものである。
【００１３】
請求項４に係る発明によれば、棟側の屋根瓦１の前垂部２に荷重がかからないようにして、支持部３において確実に荷重を支えることができるようにすることができ、更に、棟側の屋根瓦１の前垂部２と軒側の屋根瓦１の表面とが擦れ合うことを防止して、屋根瓦１の表面に擦り傷が生じることを抑制し、外観の悪化を防止することができるものである。
【００１４】
請求項５に係る発明によれば、棟側の屋根瓦１の支持部３と軒側の屋根瓦１の棟側端部とが重なった位置において、屋根瓦１上にかかる荷重を支えることができ、前垂部２を設けているにもかかわらず、屋根瓦１にかかる荷重を前垂部２よりも棟側の位置で支えることができるようになり、屋根瓦１の棟側の支持位置と棟側の支持位置との間の寸法を短くして、屋根側の荷重がかかった場合における荷重のモーメントを低減することができる。このため、屋根瓦１の敷設時や、敷設後の改修時、テレビジョンアンテナの敷設時等において、作業者が屋根瓦１の上に乗った際になどにおける荷重に対する耐性が高くなり、屋根瓦１が破損する踏み割れが生じることを防止することができるものである。
【発明を実施するための最良の形態】
【００１５】
以下、本発明を実施するための最良の形態について説明する。
【００１６】
図３〜５に、本発明に係る屋根瓦１（屋根材）の一例を示す。
【００１７】
この屋根瓦１は、平面視矩形状に形成されている。この屋根瓦１は表面に凹凸模様が形成された立体瓦として形成されている。
【００１８】
屋根瓦１は適宜の材質にて形成することができるが、例えばセメント系成形材料を成形し、養生硬化することで形成することができる。このとき、セメント系成形材料としてセメントと水とスチレンモノマー等の油性成分とを主成分とするセメント含有逆エマルション組成物からなるものを用いることが好ましい。このようなセメント系成形材料は保形性が高く、立体的な形状を有する屋根瓦１の作製に好適に用いることができる。
【００１９】
このセメント系成形材料は、まず乳化剤、スチレンモノマー、水、架橋剤、重合開始剤を混合して逆エマルション（Ｗ／Ｏエマルション）を調製し、次に、この逆エマルションにセメント、軽量化剤、補強繊維を加えて強制攪拌機又は連続混合機で混合することによって得ることができる。
【００２０】
セメントとしては、特に制限されるものではないが、ポルトランドセメント、フライアッシュセメント、高炉セメント、アルミナセメント、ハイアルミナセメント、スラグセメント、早強セメント等を用いることができ、また一種単独で用いたり、二種以上を併用したりすることができる。また、軽量化材としては、例えばフライアッシュバルーン、パーライト、シラスバルーン等のほか、アクリロニトリル発泡体、発泡ポリスチレン、ポリ塩化ビニリデン発泡体等の有機発泡体等を用いることができ、補強繊維としては、例えばポリプロピレン繊維、アクリル繊維、ビニロン繊維等を用いることができる。乳化剤としては、例えば、オレイン酸系乳化剤、ヤシ油系乳化剤、ソルビタンセスキオレート、グリセロールモノステアレート、ソルビタンモノオレート、ジエチレングリコールモノステアレート、ソルビタンモノステアレート、ジグリセロールモノオレート等の非イオン性界面活性剤、各種アニオン系界面活性剤、カチオン系界面活性剤等を用いることができる。架橋剤としては、例えばトリメチロールプロパントリメタクリレート等を用いることができる。重合開始剤としては、有機過酸化物や過硫酸塩等の重合開始剤、例えばｔ−ヘキシルパーオキシ−２−エチルヘキサノエート等を用いることができる。
【００２１】
逆エマルション全量に対して、乳化剤の含有量は２．０〜５．０重量％、スチレンモノマーの含有量は８．０〜１７．０重量％、水の含有量は７７．０〜８９．０重量％、架橋剤の含有量は０．０４〜０．６重量％、重合開始剤の含有量は０．０４〜０．６重量％に設定することができる。また、セメント系成形材料全量に対して、セメントの含有量は７０〜９９重量％、軽量化材の含有量は０．３〜３０重量％、補強繊維の含有量は１．０〜２．０重量％に設定することができる。
【００２２】
次に、上記のセメント含有逆エマルション組成物をセメント系成形材料として用い、注型法、押出成形法、射出成形法、プレス成形法等の適宜の方法で成形し、例えば８０〜１００℃で６〜１５時間蒸気養生することで、屋根瓦１を得ることができる。
【００２３】
図示のように、屋根瓦１の軒側端部には、裏面から下方に突出する前垂部２が形成されている。この前垂部２の裏面には、軒棟方向と直交する方向の水切溝６が上方に凹入するように設けられている。前垂部２は図示の通り、屋根瓦１の軒棟方向と直交する方向の一端から他端に亘って設けられている。
【００２４】
また、屋根瓦１の棟側端部には、表面から上方に突出する立ち上がり部５が突設されている。立ち上がり部５は図示の通り、屋根瓦１の軒棟方向と直交する方向の一端から他端に亘って設けられている。
【００２５】
また、屋根瓦１の軒側寄りの部分には、裏面の上記前垂部２よりも棟側に、支持部３が設けられている。支持部３は図示の例では屋根瓦１の裏面の三箇所に設けられており、この三つの支持部３が軒棟方向と直交する方向に並んで列設されている。支持部３はこのように複数箇所に分割して設けるほか、屋根瓦１の軒棟方向と直交する方向の一端から他端に亘って連続的に設けても良い。この支持部３は図示の例では、下方に突出する凸状に形成されている。また、この支持部３の軒棟方向の寸法は、上記立ち上がり部５の軒棟方向の寸法よりも大きくなるように形成されている。
【００２６】
また、屋根瓦１の棟側寄りの部分の、棟側端縁よりも軒側の部分には、下方に突出する下支持部１０が突設されている。
【００２７】
また、屋根瓦１の軒棟方向と直交する方向の一端縁は上重ね部７として形成され、他端縁からは下重ね部８が延出されている。この屋根瓦１を平面上に載置した状態では、上重ね部７の裏面は前記平面から浮いた状態となり、下重ね部８の裏面は前記平面上に載置されるが、その表面は屋根瓦１の他の部分の表面よりも下方位置に配置される。上重ね部７の裏面には、軒棟方向の水切溝６が上方に凹入するように設けられている。
【００２８】
また、屋根瓦１の棟側端縁と、上記下重ね部８とには、それぞれビスや釘等の固着具が打入される固着孔９が設けられている。図示の例では屋根瓦１の棟側端縁では立ち上がり部５の形成位置に複数の固着孔９が軒棟方向と直交する方向に並んで設けられており、また下重ね部８には一つの固着孔９が設けられているが、固着孔９の位置及び個数は図示のものに制限されるものではない。
【００２９】
このような屋根瓦１の屋根下地４への敷設について、図１，２を示して説明する。
【００３０】
屋根下地４は野地にて形成することができ、この場合、野地には必要に応じてアスファルトルーフィング等の防水シートが設けられる。
【００３１】
この屋根下地４上に軒側から棟側に向かって順次屋根瓦１を敷設する。屋根瓦１を敷設するにあたっては、まず複数の屋根瓦１を軒棟方向と直交する方向に順次設ける。このとき、まず屋根瓦１を屋根下地４上に配置し、この状態で固着孔９にビスや釘等の固着具を打入して屋根下地４上に屋根瓦１を固定する。次いで、固定した屋根瓦１の、下重ね部８が設けられている側に、別の屋根瓦１を配置する。このとき固定された屋根瓦１の下重ね部８に、別の屋根瓦１の上重ね部７を重ねるようにし、下重ね部８における固着具の固着位置を上重ね部７で覆うようにする。この状態で、前記別の屋根瓦１の固着孔９に前記と同様にして固着具を打入して屋根下地４に固定する。この動作を複数回繰り返すことで、複数の屋根瓦１を軒棟方向と直交する方向に並べて敷設する。
【００３２】
次に、上記のように敷設された屋根瓦１（以下、一列目の屋根瓦１という）の棟側の屋根下地４上に、別の屋根瓦１（以下、二列目の屋根瓦１という）を配置する。このとき、二列目の屋根瓦１の横方向位置を一列目の屋根瓦１からずらして、千鳥状に配置しても良い。このとき一列目の屋根瓦１の立ち上がり部５よりも軒側に二列目の屋根瓦１の前垂部２が配置されると共に、一列目の屋根瓦１の前記立ち上がり部５上に二列目の屋根瓦１の支持部３が配置されるようにする。このとき、一列目の屋根瓦１の棟側端縁における固着具の固着位置が、二列目の屋根瓦１にて覆われる。ここで、支持部３の軒棟方向の寸法が立ち上がり部５の軒棟方向の寸法よりも長く形成されているため、立ち上がり部５上に支持部３が配置された状態で二列目の屋根瓦１の軒棟方向位置を調整して葺き足を調整することができる。この状態で、二列目の屋根瓦１の固着孔９に上記一列目の屋根瓦１の場合と同様に固着具を打入して、二列目の屋根瓦１を固定する。次いで、一列目の屋根瓦１の場合と同様に、この二列目の固定した屋根瓦１の、下重ね部８が設けられている側に、別の屋根瓦１を敷設し、このとき二列目の最初に固定した屋根瓦１と同様に一列目の屋根瓦１の立ち上がり部５よりも軒側に二列目の屋根瓦１の前垂部２が配置されると共に、一列目の屋根瓦１の前記立ち上がり部５上に二列目の屋根瓦１の支持部３が配置されるようにする。この動作を複数回繰り返すことにより、複数の二列目の屋根瓦１を軒棟方向と直交する方向に並べて敷設する。
【００３３】
そして、同様に三列目、四列目と繰り返し屋根瓦１を複数列敷設することにより、屋根下地４上に複数の屋根瓦１を敷設することができる。
【００３４】
このように屋根瓦１を敷設した状態では、軒棟方向に隣り合う屋根瓦１同士では、軒側の屋根瓦１の棟側端部上に、棟側の屋根瓦１の支持部３が載置され、この支持部３と立ち上がり部５が重なった位置において、屋根瓦１の上側にかかる荷重を支えることができるようになっている。このため、屋根瓦１の軒側においては、前垂部２を設けているにもかかわらず、屋根瓦１にかかる荷重を前記前垂部２よりも棟側の位置で支えることができるようになり、屋根瓦１の棟側の支持位置と棟側の支持位置との間の寸法を短くして、屋根側の荷重がかかった場合における荷重のモーメントを低減することができる。
【００３５】
また、このとき支持部３は上方に突出する立ち上がり部５に載置されていることから、軒側の屋根瓦１と棟側の屋根瓦１との間に水（雨水等）が浸入したとしても、この水は立ち上がり部５と支持部３との間に到達するためには立ち上がり部５を乗り越えなければならず、このため屋根下地４側への水の浸入が防止される。
【００３６】
また、図示のように、棟側の屋根瓦１の前垂部２と、軒側の屋根瓦１の表面とが離間することが好ましい。この場合、屋根瓦１にかかる荷重が前垂部２にかかることなく支持部３に重点的にかかるようにすることができ、上記のような荷重のモーメントの低減を確実に発揮させることができるようになる。また前垂部２と屋根瓦１の表面とが擦れ合うことを防止して、屋根瓦１の表面に擦り傷が生じることを抑制することもできる。このとき、棟側の屋根瓦１の前垂部２と、軒側の屋根瓦１の表面との間の隙間寸法は、０．５〜１．５ｍｍの範囲であることが好ましい。この場合、隙間が僅かであるため、雨水が強風により屋根面に吹きつけられても奥深く吹き込むことが無いと共に、隙間に侵入した雨水が毛細管現象により屋根瓦１の裏面側に回り込むのを防止することができるようになる。
【００３７】
更に図示の例では、下支持部１０が屋根下地４上に載置されるようになっている。このため、屋根瓦１の棟側における荷重の支持位置が、屋根瓦１の棟側端部よりも軒側の下支持部１０の位置に配置されるようになっている。このため、屋根瓦１の棟側の支持位置と棟側の支持位置との間の寸法が更に短くなり、屋根側の荷重がかかった場合における荷重のモーメントを更に低減することができる。
【００３８】
このような屋根葺き構造を得るためには、屋根瓦１の支持部３、前垂部２、立ち上がり部５、或いは更に下支持部１０の位置及び寸法を、屋根瓦１の施工時に上記のような屋根葺き構造を構成することができるように予め調整しておく。
【００３９】
すなわち、形成される屋根瓦１は、同一形状を有する複数の屋根瓦１を屋根下地４と同様の平坦な平面上に、屋根下地４に敷設する場合と同様に複数配置した場合に、軒側の屋根瓦１の棟側端部（立ち上がり部５）上に棟側の屋根瓦１の支持部３が載置されるように形成する。また、好ましくは、支持部３の軒棟方向の寸法が、棟側端部における支持部３が載置される部位（立ち上がり部５）の軒棟方向の寸法よりも大きくなるように形成し、このとき、支持部３の軒棟方向のいずれの位置を軒側の屋根瓦１の棟側端部（立ち上がり部５）上に配置した場合でも、この棟側端部上に支持部３が載置されるように形成する。また、好ましくは、この状態で軒側の屋根瓦１の表面と棟側の屋根瓦１の前垂部２の裏面とが離間した状態となるように形成する。更に、下支持部１０を設ける場合には、下支持部１０が上記平坦な平面上に載置されるように形成するものである。
【図面の簡単な説明】
【００４０】
【図１】屋根葺き構造の一例を示す要部断面図である。
【図２】同上の屋根葺き構造を示す断面図である。
【図３】屋根瓦の一例を示す側面図である。
【図４】同上の屋根瓦の平面図である。
【図５】同上の屋根瓦の底面図である。
【図６】従来技術の一例を示す断面図である。
【符号の説明】
【００４１】
１  屋根瓦
２  前垂部
３  支持部
４  屋根下地
５  立ち上がり部
【図１】
2008163676.tif 000003
【図２】
2008163676.tif 000004
【図３】
2008163676.tif 000005
【図４】
2008163676.tif 000006
【図５】
2008163676.tif 000007
【図６】
2008163676.tif 000008